(57)【要約】【課題】民生用デジタルＶＴＲのテープ上にＨＤデータを更に高品質な画質で長時間記録することを可能にする。【解決手段】回転ヘッド２５により磁気テープ２０上のトラックに映像データをデジタル的に記録する情報記録再生装置１００の記録系１０において、映像データ圧縮処理部１１により入力映像信号を例えばＭＰＥＧ２のＭＰ＠Ｈ−１４で符号化（圧縮）して主映像データを生成し、サーチ用データ生成部１３により上記主映像データのＩピクチャからサーチ画像データを生成して、制御部４０のマイコン４２による制御に従って主映像データとサーチ画像データを選択するデータ切替部１４を介して回転ヘッド２５に供給することにより、上記主映像データを記録するＡｒｅａ２とは別のＡｒｅａ１に上記サーチ画像データを記録する。【選択図】        図１
2004187172.tif 000002
【特許請求の範囲】
【請求項１】
回転ヘッドによりテープ状記録媒体上のトラックに映像データをデジタル的に記録する情報記録装置において、
主映像データを取得する取得手段と、
上記取得手段により取得された主映像データからサーチ画像データを生成する生成手段と、
上記取得手段により取得された主映像データと上記生成手段により生成されたサーチ画像データをトラック上の所定の位置に記録する記録手段とを備え、
上記記録手段により上記主映像データの記録される領域とは別の領域に上記サーチ画像を記録することを特徴とする情報記録装置。
【請求項２】
上記記録手段は、上記サーチ画像データには内符号パリティのみを付加することを特徴とする請求項１記載の情報記録装置。
【請求項３】
上記記録手段は、上記サーチ画像データのシンクブロックを識別するためのＩＤデータと、サーチデータ用のシステムデータにより上記サーチ画像データを識別可能に記録することを特徴とする請求項１記載の情報記録装置。
【請求項４】
上記記録手段は、上記主映像データとサーチ画像データを一定の規則に従った位置関係になるようにテープ状記録媒体上に配置して記録することを特徴とする請求項１記載の情報記録装置。
【請求項５】
上記取得手段は、上記主映像データとしてＭＰ＠ＨＬ，ＭＰ＠Ｈ１４又はＭＰ＠ＭＬ方式で圧縮した映像データを取得し、
上記生成手段は、上記取得手段により取得された主映像データのＩピクチャからサーチ画像データを生成することを特徴とする請求項１記載の情報記録装置。
【請求項６】
回転ヘッドによりテープ状記録媒体上のトラックに映像データをデジタル的に記録する情報記録方法であって、
主映像データを取得し、
取得した主映像データからサーチ画像データを生成し、
上記サーチ画像データを上記トラック上の第１の領域に記録し、
上記主映像データを上記トラック上の第２の領域に記録することを特徴とする情報記録方法。
【請求項７】
回転ヘッドによりテープ状記録媒体上のトラックに映像データをデジタル的に記録するための処理を実行するための制御プログラムであって、
主映像データを取得し、
取得した主映像データからサーチ画像データを生成し、
上記サーチ画像データを上記トラック上の第１の領域に記録し、
上記主映像データを上記トラック上の第２の領域に記録する処理を実行することを特徴とする制御プログラムをコンピュータにより読み取り可能に記録した記録媒体。
【発明の詳細な説明】
【０００１】
【発明の属する技術分野】
本発明は、高品位の映像データを回転ヘッドによりテープ状記録媒体上のトラックに映像データをデジタル的に記録する情報記録装置、情報記録方法及び記録媒体に関し、特に、高品位の映像データを民生用デジタルＶＴＲのテープ上に長時間記録することを可能にした情報記録装置、情報記録方法及び記録媒体に関する。
【０００２】
【従来の技術】
最近、圧縮技術が進み、映像データなども、例えば、ＤＶ（Ｄｉｇｉｔａｌ  Ｖｉｄｅｏ）方式により圧縮され、磁気テープに記録されるようになってきた。そのためのフォーマットが、民生用デジタルビデオテープレコーダのＤＶフォーマットとして規定されている。
【０００３】
図１３は、従来のＤＶフォーマットの１トラックの構成を示している。なお、ＤＶフォーマットにおいては、映像データは、２４−２５変換されて記録されるが、図１３に示す数字のビット数は、２４−２５変換された後の数値を表している。
【０００４】
磁気テープの１７４度の巻付け角に対応する範囲が、実質的な１トラックの範囲とされる。この１トラックの範囲の外には、１２５０ビットの長さのオーバーライトマージンが形成されている。このオーバーライトマージンは、データの消し残りをなくすためのものである。
【０００５】
１トラックの範囲の長さは、６０×１０００／１００１Ｈｚの周波数に同期して回転ヘッドが回転される場合、１３４９７５ビットとされ、５０Ｈｚの周波数に同期して回転ヘッドが回転される場合、１３４８５０ビットとされる。
【０００６】
この１トラックには、回転ヘッドのトレース方向（図１３において、左から右方向）に、ＩＴＩ（Ｉｎｓｅｒｔ  ａｎｄ  Ｔｒａｃｋ  Ｉｎｆｏｒｍａｔｉｏｎ）セクタ、オーディオセクタ、ビデオセクタ、サブコードセクタが順次配置され、ＩＴＩセクタとオーディオセクタの間にはギャップＧ１が、オーディオセクタとビデオセクタの間にはギャップＧ２が、そしてビデオセクタとサブコードセクタの間にはギャップＧ３が、それぞれ形成される。
【０００７】
ＩＴＩセクタは、３６００ビットの長さとされ、その先頭にはクロックを生成するための１４００ビットのプリアンブルが配置され、その次にはＳＳＡ（ＳｔａｒｔＳｙｎｃ  Ａｒｅａ）とＴＩＡ（Ｔｒａｃｋ  Ｉｎｆｏｒｍａｔｉｏｎ  Ａｒｅａ）が１９２０ビット分の長さ設けられている。ＳＳＡには、ＴＩＡの位置を検出するために必要なビット列（シンク番号）が配置されている。ＴＩＡには民生用のＤＶフォーマットであることを示す情報、ＳＰモードまたはＬＰモードであることを表す情報、１フレームのパイロット信号のパターンを表す情報などが記録されている。ＴＩＡの次には、２８０ビットのポストアンブルが配置されている。
【０００８】
ギャップＧ１の長さは、６２５ビット分とされている。
【０００９】
オーディオセクタは１１５５０ビットの長さとされ、その先頭の４００ビットと最後の５００ビットは、それぞれプリアンブルまたはポストアンブルとされ、その間の１０６５０ビットがデータ（オーディオデータ）とされる。
【００１０】
ギャップＧ２は、７００ビットの長さとされる。
【００１１】
ビデオセクタは１１３２２５ビットとされ、その先頭の４００ビットと最後の９２５ビットが、それぞれプリアンブルまたはポストアンブルとされ、その間の１１１９００ビットがデータ（ビデオデータ）とされる。
【００１２】
ギャップＧ３の長さは、１５５０ビットとされる。
【００１３】
サブコードセクタは、回転ヘッドが６０×１０００／１００１Ｈｚの周波数で回転されるとき、３７２５ビットとされ、５０Ｈｚの周波数で回転されるとき、３６００ビットとされる。そのうちの先頭の１２００ビットは、プリアンブルとされ、最後の１３２５ビット（回転ヘッドが６０×１０００／１００１Ｈｚの周波数で回転される場合）、または１２００ビット（回転ヘッドが５０Ｈｚの周波数で回転される場合）とされ、その間の１２００ビットがデータ（サブコード）とされる。
【００１４】
ところで、ＤＶフォーマットにおいては、このように、ＩＴＩセクタ、オーディオセクタ、ビデオセクタ、およびサブコードセクタの間に、ギャップＧ１乃至Ｇ３が形成されているばかりでなく、各セクタ毎にプリアンブルとポストアンブルが設けられており、いわゆるオーバーヘッドが長く、実質的なデータの記録レートを十分に得ることができない。
【００１５】
その結果、例えば、高品位の映像データ（以下、ＨＤ（Ｈｉｇｈ  Ｄｅｆｉｎｉｔｉｏｎ）映像データと称する）を記録するには、２５Ｍｂｐｓ程度のビットレートが必要であるが、この記録フォーマットでは、ＭＰＥＧ（Ｍｏｖｉｎｇ  Ｐｉｃｔｕｒｅ  Ｅｘｐｅｒｔ  Ｇｒｏｕｐ）方式のＭＰ＠ＨＬに対するビデオレートは、サーチ画像用データを除くと、せいぜい２４Ｍｂｐｓ程度しか確保できず、結果的に、標準の品位の映像データ（以下、ＳＤ（Ｓｔａｎｄａｒｄ  Ｄｅｆｉｎｉｔｉｏｎ）映像データと称する）は記録できても、ＨＤ映像データをＭＰ＠ＨＬ、ＭＰ＠Ｈ−１４方式などで圧縮して記録することができないので、本件出願人は、ＨＤデータを記録または再生できるようにした新たな記録フォーマットを先に提案している（特許文献１参照）。
【００１６】
【特許文献１】
特開平２００１−２７５０７７号公報
【発明が解決しようとする課題】
ところで、民生用デジタルＶＴＲのＤＶフォーマットのＰＡＲＴ７，８では、デジタル放送として送られてくるＭＰＥＧ−２ＴＳ（Ｔｒａｎｓｐｏｒｔ  Ｓｔｒｅａｍ）を記録する方式を規定している。
【００１７】
この方式によれば、ＤＶＣと同じ磁気テープに、同じ回転ヘッドを持った機構により、高品位な映像を長時間記録することが可能になる。
【００１８】
これにより、米国で放送されているＡＴＶ（Ａｄｖａｎｃｅｄ  Ｔｅｌｅｖｉｓｉｏｎ）や欧州で放送されているＤＶＢ（Ｄｉｇｉｔａｌ  Ｖｉｄｅｏ  Ｂｒｏａｄｃａｓｔｉｎｇ）が記録できる。
【００１９】
さらに、この方式を利用し、カメラ等のＨＤ（Ｈｉｇｈ  Ｄｅｆｉｎｉｔｉｏｎ）信号を、ＭＰＥＧ−２（例えばＭＰ＠ＨＬ，ＭＰ＠Ｈ−１４）方式で、リアルタイムで圧縮して記録することが考えられるが、この場合高品位なＨＤの映像を記録するのに十分な映像のビットレートを確保したまま記録することができない。
【００２０】
すなわち、入力される映像信号を放送形式と同じＴＳに変換し、音声信号用データ、サーチ画用データを除くと、確保できるビットレートは映像信号のＥＳ（Ｅｌｅｍｅｎｔａｒｙ  Ｓｔｒｅａｍ）としては、せいぜい１８Ｍｂｐｓ程度となり、十分な画質が得られない。
【００２１】
例えば、ＡＴＶを記録するフォーマット（ＤＶフォーマットＰＡＲＴ８）の場合は、図１４に示すように、各トラックに、ＩＴＩ（Ｉｎｓｅｒｔ  ａｎｄ  Ｔｒａｃｋ  Ｉｎｆｏｒｍａｔｉｏｎ）データに続いて、３つのエリア（Ａｒｅａ１−３）に、音声データ、映像データ、各種制御のための付加データ（ＡＵＸデータ）、及びサーチ用の映像データ、サブコードデータ、エラー訂正用符号が記録される。
【００２２】
Ａｒｅａ２には、ＶＡＵＸ，ＭＰＥＧ−２のＴＳデータ、ＥＣＣ２，ＥＣＣ３のシンクブロックが記録されるが、ＴＳデータの領域は、ＮＰ（Ｎｏｒｍａｌ  Ｐｌａｙ）データと、ＴＰ（Ｔｒｉｃｋ  Ｐｌａｙ）データを記録するために使われる。このＮＰデータには、映像のＥＳ、音声のＥＳ、その他の情報が含まれる。
【００２３】
ＴＰデータには、各種のサーチスピードに対応させるために、ＴＰＬとＴＰＨが定義されている。更にＴＰＨは、ＨＤを記録する際にビットレートを確保するために、×で図示したＦ０トラックの５ＳＢ（Ｓｙｎｃ  Ｂｌｏｃｋ）は記録しない。
【００２４】
したがって、Ａｒｅａ１の１３８ＳＢからＥＣＣ３の１０ＳＢ、ＶＡＵＸの３ＳＢ、ＴＰＬ、ＴＰＨを除いたサブブロック（ＳＢ）に、ＴＳデータを記録することになる。
【００２５】
図１５にＳＢユニット構造を示すように、２つの１８８バイトのＴＳパケットが、５つの９０バイトのシンクブロック（ＳＢ）に含まれるように記録される。ＳＢの先頭には、ＳＢの内容を識別させるためのＳＢ＿ｅｘｔｒａ＿ｈｅａｄｅｒが１バイトと、ＴＳをデコードする際に必要となるタイムスタンプ情報であるＴＤＰ＿ｅｘｔｒａ＿ｈｅａｄｅｒ３バイトが付加される。
【００２６】
以上の構成によるＡＴＶフォーマットで記録できる映像ＥＳの最大ビットレートは次のように計算される。
【００２７】
ＥＣＣ３を除く１２５シンクバイトに、５シンクあたり、１８８バイトのＴＳパケットが２パケット入るので、
８ビット×（１８８×２）バイト×（１２５／５）シンク×１０トラック×３０ｓ＝２２．５６０Ｍｂｐｓ
ＴＰＬは、４トラックあたり、２５シンク分であるため、
８ビット×（１８８×２）バイト×（２５／５）シンク×１０／４トラック×３０ｓ＝１．１２８Ｍｂｐｓ
ＴＰＨは、２トラックあたり、ＨＤモードで２５シンク分なので、
８ビット×（１８８×２）バイト×（２５／５）シンク×１０／２トラック×３０ｓ＝２．２５６Ｍｂｐｓ
ＴＰＬ＋ＴＰＨ＝３．３８４Ｍｂｐｓ
したがって、ＮＰ分のビットレートは、
２２．５６０Ｍｂｐｓ−３．３８４Ｍｂｐｓ＝１９．１７６Ｍｂｐｓ
これから、ＴＳのパケットヘッダ（１８８バイト中４バイト）を引いた残り
１９．１７６Ｍｂｐｓ×１８４／１８８＝１８．７６８Ｍｂｐｓ
このレートが映像と音声の取り得る最大のＥＳレートであり、高品質な映像としては不十分である。
【００２８】
本発明は、このような状況に鑑みてなされたものであり、民生用デジタルＶＴＲのテープ上にＨＤデータを更に高品質な画質で長時間記録することを可能にした情報記録装置、情報記録方法及び記録媒体を提供することを目的とするものである。
【００２９】
【課題を解決するための手段】
本発明では、デジタルＶＴＲにおいて、高品質なＨＤのデジタル信号を民生デジタルＶＴＲのテープ上に長時間記録するために、映像データをＭＰＥＧ−２（例えばＭＰ＠ＨＬ，ＭＰ＠Ｈ１４）等で圧縮し、音声データ、付加データを効率よく配置したトラック内パターンであり、ＡＴＶ，ＤＶＢ用に規定されたＤＶフォーマットの音声データ領域に、映像のサーチデータを記録することにより、映像データの記録レートを高めることを可能にする。
【００３０】
すなわち、本発明は、回転ヘッドによりテープ状記録媒体上のトラックに映像データをデジタル的に記録する情報記録装置において、主映像データを取得する取得手段と、上記取得手段により取得された主映像データからサーチ画像データを生成する生成手段と、上記取得手段により取得された主映像データと上記生成手段により生成されたサーチ画像データをトラック上の所定の位置に記録する記録手段とを備え、上記記録手段により上記主映像データの記録される領域とは別の領域に上記サーチ画像を記録することを特徴とする。
【００３１】
本発明に係る情報記録装置において、上記記録手段は、例えば、上記サーチ画像データには内符号パリティのみを付加する。
【００３２】
また、上記記録手段は、例えば、上記サーチ画像データのシンクブロックを識別するためのＩＤデータと、サーチデータ用のシステムデータにより上記サーチ画像データを識別可能に記録する。
【００３３】
また、上記記録手段は、上記主映像データとサーチ画像データを一定の規則に従った位置関係になるようにテープ状記録媒体上に配置して記録する。
【００３４】
さらに、上記取得手段は、上記主映像データとしてＭＰ＠ＨＬ，ＭＰ＠Ｈ１４又はＭＰ＠ＭＬ方式で圧縮した映像データを取得し、上記生成手段は、上記取得手段により取得された主映像データのＩピクチャからサーチ画像データを生成する。
【００３５】
本発明は、回転ヘッドによりテープ状記録媒体上のトラックに映像データをデジタル的に記録する情報記録方法であって、主映像データを取得し、取得した主映像データからサーチ画像データを生成し、上記サーチ画像データを上記トラック上の第１の領域に記録し、上記主映像データを上記トラック上の第２の領域に記録することを特徴とする。
【００３６】
さらに、本発明に係る記録媒体は、回転ヘッドによりテープ状記録媒体上のトラックに映像データをデジタル的に記録するための処理を実行するための制御プログラムであって、主映像データを取得し、取得した主映像データからサーチ画像データを生成し、上記サーチ画像データを上記トラック上の第１の領域に記録し、上記主映像データを上記トラック上の第２の領域に記録する処理を実行することを特徴とする制御プログラムをコンピュータにより読み取り可能に記録してなる。
【００３７】
【発明の実施の形態】
以下、本発明の実施の形態について、図面を参照して詳細に説明する。
【００３８】
本発明は、例えば図１に示すような構成の情報記録再生装置１００に適用される。
【００３９】
この情報記録再生装置１００は、キャプスタンモータ５により定速走行される磁気テープ２０を介して回転ヘッド２５により映像信号及び音声信号の記録再生を行うものであって、入力映像信号及び入力音声信号に圧縮処理を施して、圧縮した映像信号及び音声信号を回転ヘッド２５により磁気テープ２０に記録する記録系１０、上記磁気テープ２０に記録されている圧縮された映像信号及び音声信号を回転ヘッド２５により読み取り、伸長処理を施して再生した再生映像信号及び再生音声信号を出力する再生系３０、これらを制御する制御系４０などからなる。
【００４０】
記録系１０は、入力映像信号が供給される映像データ圧縮処理部１１、音声信号が入力される音声データ圧縮処理部１２、上記映像データ圧縮処理部１１により入力映像信号に圧縮処理を施した圧縮映像データが供給されるサーチ用データ生成部１３、上記映像データ圧縮処理部１１により得られる圧縮映像データ、上記音声データ圧縮処理部１２により得られる圧縮音声データ、上記サーチ用データ生成部１３により得られるサーチ用データ及びシステムデータが入力されるデータ切替部１４、上記データ切替部１４により選択された圧縮映像データ、圧縮音声データ、サーチ用データ及びシステムデータが記録データとして供給される誤り符号ＩＤ付加部１５、この誤り符号ＩＤ付加部１５の出力が供給されるシンク付加変調部１６、このシンク付加変調部１６の出力が供給されるＰ／Ｓ（パラレル／シリアル）変換部１７、このＰ／Ｓ変換部１７の出力が供給される記録増幅部１８などを備え、上記データ切替部１４により得られる記録データを上記誤り符号ＩＤ付加部１５、シンク付加変調部１６、Ｐ／Ｓ変換部１７及び記録増幅部１８を介して回転ヘッド２５に供給するようになっている。
【００４１】
また、再生系３０は、上記磁気テープ２０から回転ヘッド２５により読み取られた圧縮映像データ、圧縮音声データ、サーチ用データ及びシステムデータの再生信号が供給される再生増幅部３１、この再生増幅部３１により増幅された再生信号が供給されるＡ／Ｄ変換部３２、このＡ／Ｄ変換部３２により再生信号をデジタル化した再生データが供給される復調部３３、この復調部３３により復調された再生データが供給される誤り訂正ＩＤ検出部３４、この誤り訂正ＩＤ検出部３４の出力が供給されるデータ切替部３５、このデータ切替部３５により得られる圧縮映像データ、サーチ用データ及び圧縮音声データが供給される映像データ伸長部３６、サーチ画像表示部３７及び音声データ伸長部３８、上記映像データ伸長部３６及びサーチ画像表示部３７の各出力が供給される切替スイッチ３９等を備え、上記映像データ伸長部３６及びサーチ画像表示部３７から上記切替スイッチ３９を介して再生映像信号を外部のモニタ装置５０に供給するとともに、上記音声データ伸長部３８から再生音声信号を外部のスピーカ６０に供給し、さらに、上記データ切替部３５により得られるシステムデータを外部に出力するようになっている。
【００４２】
さらに、制御部４０は、入力部４１から入力されるユーザの操作を示す信号に基づいて、この情報記録再生装置１００の各部を制御するマイクロコントローラ（以下、マイコンと称する）４２を備える。
【００４３】
マイコン４２は、例えば、サーチ画像の生成のための制御信号を生成し、記録系１０のサーチ用データ生成部１３に出力したり、サーチ画像表示のための制御信号を生成し、再生系３０のサーチ画像表示部３７に出力したり、データの選択のための制御信号を生成して、データ切替部１４，３５や切替スイッチ３９に出力したり、磁気テープ２０を正方向や逆方向に送らせるための制御信号を生成して、キャプスタンモータ５に出力する。
【００４４】
また、入力部４１には、ダイヤル４３および操作ボタン４４が接続されている。ダイヤル４３は、回転操作と、回転軸に対して直行する方向に押す操作が可能なように構成され、ユーザにより操作される。操作ボタン４４は、例えば、録画ボタンや、磁気テープ２０の取り出しボタンなどの各種ボタンから構成され、ユーザの操作内容を示す信号を、入力部４１に出力する。入力部４１は、ダイヤル４３や操作ボタン４４から入力されたユーザの操作を示す信号をマイコン４２に出力する。
【００４５】
なお、キャプスタンモータ５は、マイコン４２から入力される制御信号に従って、磁気テープ２０を走行させる。
【００４６】
この情報記録再生装置１００は、民生用デジタルＶＴＲのＤＶフォーマットのＰＡＲＴ７又はＰＡＲＴ８に準拠するデジタルＶＴＲであって、記録系１０の映像データ圧縮処理部１１は、入力映像信号を、例えば、ＭＰＥＧ２のＭＰ＠Ｈ−１４で、図２に示されるように、１５フレームで構成されるＧＯＰを単位として、各フレーム毎に、Ｉピクチャ、Ｂピクチャ、またはＰピクチャとして符号化（圧縮）し、圧縮データを生成して、サーチ用データ生成部１３及びデータ切替部１４に供給する。
【００４７】
また、音声データ圧縮処理部１２は、入力音声データを圧縮してデータ切替部１４に供給する。
【００４８】
サーチ用データ生成部１３は、圧縮された画像データから、サーチ用画像のためのサーチ画像データを生成する。すなわち、サーチ用データ生成部１３は、それぞれのＧＯＰの、Ｉピクチャ、Ｂピクチャ、またはＰピクチャのうち、イントラフレームで構成されるＩピクチャを抽出し、サーチ画像データを生成する。
【００４９】
ここで、サーチ用データ生成部１３において、Ｉピクチャから生成されるサーチ画像データについて、図３を用いて説明する。エンコード前又はデコード後における画像データの輝度データの有効画素数は、水平方向に１４４０サンプル、垂直方向に１０８０サンプルである。また、色差データの有効画素数は、水平方向に７２０サンプル、垂直方向に５４０サンプルである。この１画面分の画像データは、図３に示されるように、水平方向に９０（＝１４４０÷１６）個、垂直方向に６８（＝１０８０／１６（小数点切上げ））個のマクロブロック（ＭＢ）に区分される。すなわち、１画面は、９０×６８の６１２０マクロブロックに区分される。
【００５０】
輝度信号Ｙの１つのマクロブロックは、８画素×８画素毎の４個のＤＣＴブロックに分割され、各ＤＣＴブロックのそれぞれのＤＣ成分が抽出され、その平均値が６ビットのデータに変換される。また、色差信号ＰｂおよびＰｒの１６画素×１６画素のそれぞれのＤＣＴブロックからＤＣ成分が抽出され、それぞれ５ビットのデータに変換される。結局、１個のマクロブロックは、３つのデータ、すなわち、１６（＝６＋５＋５）ビットのデータで構成される。
【００５１】
記録系１０のデータ切替部１４は、映像データ圧縮処理部１１、音声データ圧縮処理部１２、サーチ用データ生成部１３及び入力されたシステムデータの中から、制御部４０のマイコン４２による制御に従ってデータを選択し、誤り符号ＩＤ付加部１５に出力する。
【００５２】
誤り符号ＩＤ付加部１５は、入力されたデータに、Ｃ１，Ｃ２の誤り検出訂正符号（Ｐａｒｉｔｙ）（ＥＣＣ）及びＩＤを付加し、シンク付加変調部１６に出力する。シンク付加変調部１６は、入力されたデータに、パケットの先頭であることを示すシンク（Ｓｙｎｃ）パターンを付加し、所定の変調を施して、Ｐ／Ｓ変換部１７に出力する。
【００５３】
Ｐ／Ｓ変換部１７は、入力されたデータをパラレルデータからシリアルデータに変換し、記録増幅部１８に出力する。記録増幅部１８は、入力されたデータを増幅し、回転ヘッド２５に出力する。
【００５４】
回転ヘッド２５は、図示しない回転ドラムに取り付けられており、入力されたデータを磁気テープ２０に記録する。
【００５５】
図４は、磁気テープ２０に、回転ヘッド２５により形成されるトラックのフォーマットを表している。回転ヘッド２５は、図４中右下から、左上方向に、磁気テープ２０をトレースすることで、磁気テープ２０の長手方向に対して傾斜したトラックを形成する。磁気テープ２０は、図４中、右から左方向に移送される。
【００５６】
各トラックは、そこに記録されるトラッキング制御のためのパイロット信号の種類に応じて、Ｆ０，Ｆ１またはＦ２のいずれかとされる。トラックはＦ０，Ｆ１，Ｆ０，Ｆ２，Ｆ０，Ｆ１，Ｆ０，Ｆ２の順に形成される。
【００５７】
このトラックパターンは、ＤＶフォーマットに準拠したトラックパターンである。したがって、民生用デジタルビデオテープレコーダの磁気テープ、回転ヘッド、駆動系、復調系、制御系が、この実施の形態においても、そのまま利用することができる。
【００５８】
なお、テープスピード、トラックピッチは、ＤＶフォーマットと同様に記録される。
【００５９】
そして、この情報記録再生装置１００では、図５にトラックフォーマットを示すように、１２５ＳＢのＴＳを記録するＡｒｅａ２に、サーチ用のＴＰデータは一切記録せず、ＮＰデータだけを記録するようにする。
【００６０】
これにより、映像と音声の取り得る最大のＥＳレートは、
２２．５６Ｍｂｐｓ×１８４／１８８＝２２．０８Ｍｂｐｓ
にまで改善される。
【００６１】
しかし、このままでは、変速再生時でのサーチ画が出なくなるので、この情報記録再生装置１００では、図５に示すように、これまで音声データを記録するエリアとされていたＡｒｅａ１をサーチ用エリアとして利用している。
【００６２】
ＤＶフォーマットにおけるＡｒｅａ１の領域には、もともと音声データとエラー訂正用外符号であるＥＣＣ２が記録されているが、これをなくすことで、図６に示すように、プリシンクの後にサーチデータを含むシンクブロック（ＳＢ）を１４ＳＢ記録することが可能である。
【００６３】
サーチＳＢのシンク構造は、図６，７に示すように、ＤＶフォーマットと同様であり、９０バイトの中に、シンクが２バイト、識別のためのＩＤが３バイト、それに続くＳｅａｒｃｈ＿ＡＵＸ，５バイトとＳｅａｒｃｈ＿ａｄｄｒｅｓｓを含むデータが７７バイトとＥＣＣ１の８バイトからなる。
【００６４】
先頭のＩＤは、図８に示すＩＤ０，ＩＤ１とＢＣＨパリティの３バイトから構成される。プリシンクとポストシンクのＩＤ０の上位３ビットには、図９に示すＡｐｐｌｉｃａｔｉｏｎ＿ＩＤが記録される。このＡｐｐｌｉｃａｔｉｏｎ＿ＩＤの値が２進表記で［０００］の時は、従来の民生用ＶＣＲであることを示し、このＡｒｅａ１には音声が記録されていることを示すが、ここでは、２進表記で［０００］又は［１１１］以外の値を記録することにより、従来のセットでは、これ以降のデータにはＤＶフォーマットの音声以外が記録されていることを認識する。
【００６５】
また、Ｓｅａｒｃｈ＿ＡＵＸについては、ＤＶフォーマットのシステムデータであるパックデータとして定義する。図１０に示すＳｅａｒｃｈ＿ＡＵＸの例では、ＭＰＥＧパックと認識させるパックヘッダー（この例では９７ｈ）に、サーチ画を表示させるのに必要なデータを記録する。このパックヘッダーを９７ｈにすることで、従来のセットでは、以降のデータを音声データとしては扱わず、ミュートされる。
【００６６】
また、サーチデータのマクロブロック座標を示すＳｅａｒｃｈ＿Ｂｌｏｃｋ＿Ａｄｄｒｅｓｓは図１１のように定義する。
【００６７】
次に、磁気テープ２０に記録されたデータの再生処理について説明する。
【００６８】
磁気テープ２０に記録されたデータは、回転ヘッド２５によって、アナログの再生信号として読み取られて、再生増幅部３１で増幅されてＡ／Ｄ変換部３２に供給される。Ａ／Ｄ変換部３２は、入力されたアナログの再生信号を、デジタルデータに変換し、復調部３３に出力する。復調部３３は、入力されたデジタルデータを復調して、誤り訂正ＩＤ検出部３４に出力する。誤り訂正ＩＤ検出部３４は、通常再生時はＣ１、Ｃ２およびＣ３の誤り検出訂正符号を基に、誤り訂正を行い、サーチ再生時はＣ１の訂正のみを行い、ＩＤを検出する。
【００６９】
そして、誤り訂正ＩＤ検出部３４から出力された再生データは、制御部４０のマイコン４２による制御に従って、データ切替部３５により、シンクブロックナンバーを基に、映像データ、サーチ用画像データ、音声データ、サブコードデータやＡＵＸデータが分離され、映像データは映像データ伸長部３６に、サーチ用画像データはサーチ画像表示部３７に、音声データは音声データ伸長部３８に出力される。また、サブコードデータやＡＵＸデータは、データ切替部３５を介してシステムデータとして出力される。
【００７０】
通常再生時には、映像データ伸長部３６は、入力された映像データを伸長し、切替スイッチ３９を介して、必要があれば、デジタルデータからアナログ画像信号に変換し、例えば、液晶パネルなどにより構成されるモニタ装置５０に出力して表示させる。
【００７１】
サーチ時には、サーチ画像表示部３７は、取得されたサーチ画像データを、一時蓄積し、蓄積されたデータを画像処理して、サーチ画像データを生成して、その内部に有するバッファに保存する。サーチ画像表示部３７は、バッファに保存されたサーチ画像データを、切替スイッチ３９を介して、必要があれば、デジタルデータからアナログ画像信号に変換し、モニタ装置５０に出力して表示させる。
【００７２】
また、撮影モードにおいては、図示しない画像撮影部（例えばＣＣＤカメラなど）から、モニタ装置５０に撮影中の画像データが入力されるようになされており、モニタ装置５０には、画像撮影部によって撮影されている画像データが表示されるようになされている。
【００７３】
切替スイッチ３９は、制御部４０のマイコン４２による制御に従って、映像データ伸長部３６から出力される再生画像データとサーチ画像表示部３７から出力されるサーチ画像データを切り替えて、モニタ装置５０に出力して表示させる。
【００７４】
音声データ伸長部３８は、入力された音声データを伸長し、必要があれば、デジタルデータからアナログ音声信号に変換し、スピーカ６０から出力させる。
【００７５】
次に、サーチ時の動作について、図１２を参照して説明する。
【００７６】
図１２は、７倍速の場合の回転ヘッド２５によるトレースの様子を示している。
【００７７】
奇数倍速の場合、＋アジマスのヘッドは、＋アジマスで記録されたサーチエリアを通過して、サーチデータを取得する。一方、−アジマスのヘッドは−アジマスで記録されたサーチデータを取得する。サーチエリアすなわちＡｒｅａ１には、図３に示したように１ＧＯＰの中のＩピクチャから作成したサーチデータを記録するようにしている。この例では、図３に示す１０８０／６０ｉの映像信号のＩピクチャから、そのマクロブロックデータを取り出し、Ｙ，Ｐｂ，ＰｒのＤＣ成分から、それぞれ６ビット，５ビット，５ビットにデータを丸め、１マクロブロック（ＭＢ）あたり合計１６ビットのデータとしている。
【００７８】
したがって、１画面分のサーチデータは、
１６ビット×９０ＭＢ×６８ＭＢ＝９７９２０ビット
必要となる。
【００７９】
一方、１ＧＯＰ分の１５０トラックを７倍速の場合には２０回以上トレースでき、１４シンクブロックに含まれるデータを全て取れた場合には、
２０×１４ＳＢ×７０バイト×８ビット＝１５６８００ビット
のデータが取得可能である。これは、１画面分のサーチデータとして必要十分なデータ取得量である。
【００８０】
以上のように、記録されている映像信号と、サーチデータを関連付けることにより、サーチ機能を実現することが可能となる。
【００８１】
これは、記録されているＭＰＥＧストリームに対するサーチデータの一例であり、同様のデータ構造を持たせることにより、各種ストリームに対応させることが可能であることは明らかである。
【００８２】
また、ＡＴＶのみならず、ＤＶＢ（Ｐａｒｔ７）でも同様の方式が考えられる。
【００８３】
なお、本発明は、主映像データおよびサーチ画像データの構造が、ここで説明した場合と異なるデータサイズであったり、他の種類の画像フォーマットである場合においても適用することが可能である。
【００８４】
また、上述した一連の処理は、ソフトウェアにより実行することもできる。そのソフトウェアは、そのソフトウェアを構成するプログラムが、専用のハードウェアに組み込まれているコンピュータ、または、各種の制御プログラムをインストールすることで、各種の機能を実行することが可能な、例えば汎用のパーソナルコンピュータなどに、記録媒体からインストールされる。
【００８５】
この記録媒体は、コンピュータとは別にユーザにプログラムを提供するために配布されるものであって、例えば、図１に示すように、上記制御部４０のマイコン４２によりディスクドライブ４５を介して読み取り可能にプログラムが記録されている磁気ディスク（フロッピー（登録商標）ディスクを含む）４６Ａ、光ディスク（ＣＤ−ＲＯＭ：Ｃｏｍｐａｃｔ  Ｄｉｓｋ−Ｒｅａｄ  Ｏｎｌｙ  Ｍｅｍｏｒｙ）４６Ｂ，ＤＶＤ（Ｄｉｇｉｔａｌ  Ｖｅｒｓａｔｉｌｅ  Ｄｉｓｋ）を含む）４６Ｃ、光磁気ディスク（ＭＤ：Ｍｉｎｉ−Ｄｉｓｋ）を含む）４６Ｄや半導体メモリなどよりなるパッケージメディアとして提供することができる。
【００８６】
【発明の効果】
以上のように、本発明によれば、ビットレートの高い、例えばＨＤ信号のような信号を、ＭＰＥＧ−２（例えばＭＰ＠ＨＬ，ＭＰ＠Ｈ−１４）のような圧縮方式により圧縮して記録する際に、従来考えられていた方式に比べて、高いビットレートで記録することができ、より高画質、高品質な映像を記録再生することが可能となる。
【００８７】
また、その場合の変速再生についても、本発明を採用することにより、十分に実用的なサーチ画を再生することができる。さらに、従来の方式に比べて、本発明では、サーチデータがテープ方向に隙間なく連続して記録されているため、あらゆるサーチスピードに対応でき、また複雑な制御を行う必要がないので、サーチデータを容易に取得することができ、異なる再生装置間の互換性にも有利である。
【００８８】
また、アプリケーションＩＤや、パックデータについて、従来のＤＶと互換性を保たせることが可能であるため、本発明にしたがって記録した磁気テープを従来機にかけた場合においても、不具合が発生することはない。
【００８９】
構造的には、ＤＶフォーマットと、信号処理、メカデッキ、テープ、ヘッドを共通化することにより、部品の共通化によるコストダウンが図られ、高画質なＨＤのＶＴＲを安価に提供することが可能となる。
【図面の簡単な説明】
【図１】本発明を適用した情報記録再生装置の構成を示すブロック図である。
【図２】上記情報記録再生装置における映像データ圧縮処理部により生成される主映像データとサーチ画像データの関係を示す図である。
【図３】上記情報記録再生装置におけるサーチ用データ生成部によりＩピクチャから生成されるサーチ画像データを示す図である。
【図４】上記情報記録再生装置において回転ヘッドにより磁気テープに形成されるトラックのフォーマットを示す図である。
【図５】この情報記録再生装置におけるトラックフォーマットを示す図である。
【図６】磁気テープに形成されるトラックのＡｒｅａ１のシンクブロックの構造を示す図である。
【図７】サーチＳＢのシンク構造を示す図である。
【図８】上記サーチＳＢの先頭のＩＤの構成を示す図である。
【図９】Ａｒｅａ１のＡｐｐｌｉｃａｔｉｏｎ＿ＩＤを示す図である。
【図１０】Ｓｅａｒｃｈ＿ＡＵＸの例を示す図である。
【図１１】サーチデータのマクロブロック座標を示すＳｅａｒｃｈ＿Ｂｌｏｃｋ＿Ａｄｄｒｅｓｓを示す図である。
【図１２】この情報記録再生装置におけるサーチ時の動作を説明するための図である。
【図１３】従来のＤＶフォーマットの１トラックの構成を示す図である。
【図１４】ＡＴＶを記録するＤＶフォーマットＰＡＲＴ８を示す図である。
【図１５】ＳＢユニットの構造を示す図である。
【符号の説明】
５  キャプスタンモータ、１０  記録系、１１  映像データ圧縮処理部、１２音声データ圧縮処理部、１３  サーチ用データ生成部、１４  データ切替部、１５  誤り符号ＩＤ付加部、１６  シンク付加変調部、１７  Ｐ／Ｓ変換部、１８  記録増幅部、２０  磁気テープ、２５  回転ヘッド、３０  再生系、３１  再生増幅部、３２  Ａ／Ｄ変換部、３３  復調部、３４  誤り訂正ＩＤ検出部、３５  データ切替部、３６  映像データ伸長部、３７  サーチ画像表示部、３８音声データ伸長部、３９  切替スイッチ、４０  制御部、４１  入力部、４２マイコン、４３  ダイヤル、４４  操作ボタン、４５  ディスクドライブ、４６Ａ  磁気ディスク、４６Ｂ  光ディスク、４６Ｃ  ＤＶＤ、４６Ｄ  光磁気ディスク、４６Ｅ  半導体メモリ、５０  モニタ装置、６０  スピーカ、１００  情報記録再生装置
【図１】
2004187172.tif 000003
【図２】
2004187172.tif 000004
【図３】
2004187172.tif 000005
【図４】
2004187172.tif 000006
【図５】
2004187172.tif 000007
【図６】
2004187172.tif 000008
【図７】
2004187172.tif 000009
【図８】
2004187172.tif 000010
【図９】
2004187172.tif 000011
【図１０】
2004187172.tif 000012
【図１１】
2004187172.tif 000013
【図１２】
2004187172.tif 000014
【図１３】
2004187172.tif 000015
【図１４】
2004187172.tif 000016
【図１５】
2004187172.tif 000017